(57)【要約】      （修正有）【課題】磁気式人工まつ毛を自まつ毛に付けるためのまつ毛アプリケータを提供する。【解決手段】第一近位部と、上人工まつ毛（単数または複数）を磁気的に保持するように構成され、第一近位部に接続された第一湾曲アプリケータ部とを含みうる第一ハンドル部と、第一ハンドル側に連結され、第二近位部と、下人工まつ毛を磁気的に保持するように構成され、第二近位部に接続された、第二湾曲アプリケータ部とを含みうる第二ハンドル部とを含みうる人工まつ毛アプリケータ装置が提供されうる。第一ハンドル部または第二ハンドル部はヒンジ４０５を含むことができ、第一ハンドル部または第二ハンドル部はヒンジ４０５の周りを回転するように構成されうる。【選択図】図４
2019143279.tif 000002
【特許請求の範囲】
【請求項１】
（ｉ）第１近位部と、（ｉｉ）少なくとも１つの上人工まつ毛を磁気的に保持するように構成され、第１近位部に接続された第１湾曲アプリケータ部と、を含む、第１ハンドル部と、
第１ハンドル側に連結され、（ｉ）第２近位部と、（ｉｉ）少なくとも１つの下人工まつ毛を磁気的に保持するように構成され、第２近位部に接続された第２湾曲アプリケータ部と、を含む、第２ハンドル部と、
を含む、人工まつ毛アプリケータ装置であって、
第１ハンドル部または第２ハンドル部のうちの少なくとも１つは、少なくとも１つのヒンジを含み、第１ハンドル部または第２ハンドル部のうちの前記少なくとも１つは、前記少なくとも１つのヒンジの周りを回転するように構成される、
人工まつ毛アプリケータ装置。
【請求項２】
前記少なくとも１つのヒンジは第１ヒンジおよび第２ヒンジを含み、第１ハンドル部は第１ヒンジを含み、第２ハンドル部は第２ヒンジを含む、請求項１に記載の磁気まつ毛アプリケータ装置。
【請求項３】
第１ハンドル部および第２ハンドル部は第１遠位部および第２遠位部をそれぞれ含み、第２ハンドル部は第１遠位部と第２遠位部とを互いに連結することにより第１ハンドル部に連結される、請求項１に記載の磁気まつ毛アプリケータ装置。
【請求項４】
第１近位部は、第２近位部の反対側に提供される、請求項３に記載の磁気まつ毛アプリケータ装置。
【請求項５】
前記少なくとも１つのヒンジは、第１近位部または第２近位部のうちの少なくとも１つに接続される、請求項４に記載の磁気まつ毛アプリケータ装置。
【請求項６】
第１湾曲アプリケータ部は、それに配置された第１金属構造体を含み、第２湾曲アプリケータ部は、それに配置された第２金属構造体を含む、請求項１に記載の磁気まつ毛アプリケータ装置。
【請求項７】
第１金属構造体は、第１湾曲アプリケータと一致するように湾曲し、第２金属構造体は、第２湾曲アプリケータと一致するように湾曲する、請求項６に記載の磁気まつ毛アプリケータ装置。
【請求項８】
第１湾曲アプリケータ部は、それに配置された少なくとも２つの第１金属構造体を含み、第２湾曲アプリケータ部は、それに配置された少なくとも２つの第２金属構造体を含む、請求項１に記載の磁気まつ毛アプリケータ装置。
【請求項９】
前記少なくとも２つの第１金属構造体は、第１湾曲アプリケータ部と一致するように湾曲し、前記少なくとも２つの第２金属構造体は、第２湾曲アプリケータ部と一致するように湾曲する、請求項８に記載の磁気まつ毛アプリケータ装置。
【請求項１０】
第１および第２ハンドル部に連結された少なくとも１つのバネをさらに含む、請求項１に記載の磁気まつ毛アプリケータ装置。
【請求項１１】
第１近位部または第２近位部のうちの少なくとも１つは、時計回りまたは反時計回りのうちの少なくとも１つで回転するように構成される、請求項１に記載の磁気まつ毛アプリケータ装置。
【請求項１２】
第１ハンドル部または第２ハンドル部のうちの少なくとも１つは、それに配置された少なくとも１つのグリップ部を含む、請求項１に記載の磁気まつ毛アプリケータ装置。
【請求項１３】
（ｉ）第１近位部と、（ｉｉ）少なくとも１つの上人工まつ毛を磁気的に保持するように構成され、第１近位部に接続された第１湾曲アプリケータ部と、を含む、第１ハンドル部であって、第１湾曲アプリケータ部は、それに配置された第１連続金属ストリップを含む、第１ハンドル部と、
第１ハンドル側に連結され、（ｉ）第２近位部と、（ｉｉ）少なくとも１つの下人工まつ毛を磁気的に保持するように構成され、第２近位部に接続された第２湾曲アプリケータ部と、を含む、第２ハンドル側であって、第２湾曲アプリケータ部は、それに配置された第２連続金属ストリップを含む、第２ハンドル側と、
を含む、磁気まつ毛アプリケータ装置。
【請求項１４】
第１ハンドル部または第２ハンドル部のうちの少なくとも１つは、少なくとも１つのヒンジを含み、第１ハンドル部または第２ハンドル部のうちの前記少なくとも１つは、前記少なくとも１つのヒンジの周りを回転するように構成される、請求項１３に記載の磁気まつ毛アプリケータ装置。
【請求項１５】
第１ハンドル部または第２ハンドル部のうちの前記少なくとも１つは、時計回りまたは反時計回りのうちの少なくとも１つで回転するように構成される、請求項１３に記載の磁気まつ毛アプリケータ装置。
【請求項１６】
第１ハンドル部および第２ハンドル部は第１遠位部および第２遠位部をそれぞれ含み、第２ハンドル部は第１遠位部と第２遠位部とを互いに連結することにより第１ハンドル部に連結される、請求項１３に記載の磁気まつ毛アプリケータ装置。
【請求項１７】
第１近位部は、第２近位部の反対側に提供される、請求項１６に記載の磁気まつ毛アプリケータ装置。
【請求項１８】
第１連続金属ストリップは、第１湾曲アプリケータ部の形状と一致するように湾曲し、第２連続金属ストリップは、第２湾曲アプリケータ部の形状と一致するように湾曲する、請求項１３に記載の磁気まつ毛アプリケータ装置。
【請求項１９】
第１ハンドル部または第２ハンドル部のうちの少なくとも１つは、それに配置された少なくとも１つのグリップ部を含む、請求項１３に記載の磁気まつ毛アプリケータ装置。
【請求項２０】
少なくとも一組の磁気人工まつ毛を付ける方法であって、
磁気まつ毛アプリケータ装置の第１ハンドル部を第１方向に回転させるステップと、
少なくとも１つの上磁気人工まつ毛を前記磁気まつ毛アプリケータ装置の第１ハンドル部または第２ハンドル部のうちの１つに磁気的に付けるかまたは連結するステップと、
少なくとも１つの下磁気人工まつ毛を前記磁気まつ毛アプリケータ装置の第１ハンドル部または第２ハンドル部のうちのもう１つに磁気的に付けるかまたは連結するステップと、
第１ハンドル部を第１方向の逆方向である第２方向に回転させるステップと、
前記磁気まつ毛アプリケータ装置を人のまつ毛の上に配置するステップと、
前記上および下磁気人工まつ毛を前記人の前記まつ毛に接続するステップと
を含む、方法。
【発明の詳細な説明】
【技術分野】
【０００１】
本開示は、一般に、人工まつ毛およびそのようなまつ毛を付けるためのアプリケータに関し、特に、例示的な磁気まつ毛アプリケータ、磁気人工まつ毛、およびその使用方法の例示的な実施形態に関する。
【背景技術】
【０００２】
人工まつ毛は、自まつ毛の長さ、カール、豊かさおよび厚さを増強するために使用される。人工まつ毛は、ミンク、合成、または馬の毛を含むいくつかの材料から作製されうる。人工まつ毛を付ける従来の方法は、接着糊を使用して、人工まつ毛を自／本物のまつ毛のそれぞれに一つずつ個別に付着させる。これにより、まつ毛が一緒に付着するのが防止される。しかし、このような糊式人工まつ毛は、付け外しが困難なこともあり、時間の経過とともに本物のまつ毛に対する付着力を失いうる。
【０００３】
糊式人工まつ毛の欠点のいくつかを克服するために、磁気式の人工まつ毛が開発されている。磁気式人工まつ毛は通常、二つの対向する磁気式人工まつ毛を用いてまつ毛に付けられる。したがって、人工まつ毛をつなぎ保持するために糊が必要ない。磁気式人工まつ毛は使いやすく、防水であり、再使用可能である。しかし、ある従来の磁気式人工まつ毛は、自まつ毛に付けるのが難しいこと、内側の角および外側の角がまつ毛の縁から突き出しうることなどを含みうる、ある欠点を有する。磁気式人工まつ毛は、高価であることもあり、まつ毛のラインに十分に接着しないこともある。これらの問題の多くは、このような磁気式人工まつ毛を自まつ毛に付ける際の難しさに起因する。
【０００４】
したがって、本明細書の以上に記載した欠点の少なくともいくつかを克服できる例示的な磁気まつ毛アプリケータおよび同の使用方法を提供することが有益でありうる。
【発明の概要】
【課題を解決するための手段】
【０００５】
例えば（ｉ）第一近位部と、（ｉｉ）上人工まつ毛を磁気的に保持するように構成されることができ、第一近位部に接続されることができる第一湾曲アプリケータ部と、を含みうる、第一ハンドル部と、第一ハンドル側に連結され、（ｉ）第二近位部と、（ｉｉ）下人工まつ毛を磁気的に保持するように構成されることができ、第二近位部に接続されることができる第二湾曲アプリケータ部と、を含みうる、第二ハンドル部と、を含みうる、例示的な人工まつ毛アプリケータ装置が提供されうる。第一ハンドル部または第二ハンドル部はヒンジを含むことができ、第一ハンドル部または第二ハンドル部はヒンジの周りを回転するように構成されうる。
【０００６】
本開示の一部の例示的な実施形態では、ヒンジは第一ヒンジと第二ヒンジとを含むことができ、第一ハンドル部は第一ヒンジを含むことができ、第二ハンドル部は第二ヒンジを含むことができる。第一ハンドル部および第二ハンドル部は第一遠位部および第二遠位部をそれぞれ含むことができ、第二ハンドル部は第一遠位部と第二遠位部とを互いに連結することにより第一ハンドル部に連結されうる。第二近位部の反対側に第一近位部が提供されうる。ヒンジは、第一近位部または第二近位部に接続されうる。第一湾曲アプリケータ部は、その上に配置された第一金属構造体を含むことができ、第二湾曲アプリケータ部は、その上に配置された第二金属構造体を含むことができる。第一金属構造体は、第一湾曲アプリケータと一致するように湾曲させることができ、第二金属構造体は、第二湾曲アプリケータと一致するように湾曲させることができる。
【０００７】
本開示のさらなる例示的な実施形態によれば、第一湾曲アプリケータ部は、その上に配置された少なくとも二つの第一金属構造体を含むことができ、第二湾曲アプリケータ部は、その上に配置された少なくとも二つの第二金属構造体を含むことができる。少なくとも二つの第一金属構造体は、第一湾曲アプリケータ部と一致するように湾曲させることができ、少なくとも二つの第二金属構造体は、第二湾曲アプリケータ部と一致するように湾曲させることができる。第一および第二ハンドル部に連結されうるバネ（単数または複数）が含まれうる。第一近位部または第二近位部は、時計回りまたは反時計回りに回転するように構成されうる。第一ハンドル部または第二ハンドル部は、その上に配置されたグリップ部（単数または複数）を含みうる。
【０００８】
例えば、（ｉ）第一近位部と、（ｉｉ）上人工まつ毛を磁気的に保持するように構成されることができ、第一近位部に接続されることができる第一湾曲アプリケータ部と、を含みうる第一ハンドル部を含みうる磁気まつ毛アプリケータ装置であって、第一湾曲アプリケータ部は、その上に配置された第一連続金属ストリップも含みうる、磁気まつ毛アプリケータ装置のさらなる例示的な実施形態が提供されうる。第二ハンドル側は第一ハンドル側に連結されることができ、（ｉ）第二近位部と、（ｉｉ）下人工まつ毛を磁気的に保持するように構成されることができ、第二近位部に接続されることができる第二湾曲アプリケータ部と、を含むことができ、第二湾曲アプリケータ部は、その上に配置された第二連続金属ストリップを含みうる。
【０００９】
本開示のいくつかの例示的な実施形態では、第一ハンドル部または第二ハンドル部はヒンジを含むことができ、第一ハンドル部または第二ハンドル部はヒンジの周りを回転するように構成されうる。第一ハンドル部または第二ハンドル部は、時計回りまたは反時計回りに回転するように構成されうる。第一ハンドル部および第二ハンドル部は第一遠位部および第二遠位部をそれぞれ含むことができ、第二ハンドル部は第一遠位部と第二遠位部とを互いに連結することにより第一ハンドル部に連結されうる。第二近位部の反対側に第一近位部が提供されうる。第一連続金属ストリップは、第一湾曲アプリケータ部の形状と一致するように湾曲させることができ、第二連続金属ストリップは、第二湾曲アプリケータ部の形状と一致するように湾曲させることができる。第一ハンドル部または第二ハンドル部は、その上に配置されたグリップ部を含みうる。
【００１０】
上述の例示的な実施形態の使用を含みうる本開示のさらなる例示的な実施形態は、一組以上の磁気人工まつ毛を付ける方法とすることができ、これには例えば、磁気まつ毛アプリケータ装置の第一ハンドル部を第一方向に回転させるステップと、磁気まつ毛アプリケータ装置の第一ハンドル部または第二ハンドル部に上磁気人工まつ毛を磁気的に付けるかまたは連結するステップと、磁気まつ毛アプリケータ装置の第一ハンドル部または第二ハンドル部に下磁気人工まつ毛を磁気的に付けるかまたは連結するステップとを含みうる。第一ハンドル部は、第一方向とは逆方向であってもよい第二方向に回転されうる。磁気まつ毛アプリケータ装置が人のまつ毛の上に配置され、上下の磁気人工まつ毛がその人のまつ毛に接続されうる。
【００１１】
本開示の例示的な実施形態のこれらおよび他の目的、特徴および利点は、添付の段落と併せて本開示の例示的な実施形態の以下の詳細な説明を読めば明らかになるであろう。
【図面の簡単な説明】
【００１２】
【図１】本開示の例示的な実施形態による例示的な磁気式人工まつ毛アプリケータの例示的な上面図である。
【図２】本開示の例示的な実施形態による、図１に示される例示的な磁気式人工まつ毛アプリケータの例示的な側面図である。
【図３】本開示の例示的な実施形態による、図１に示される例示的な磁気式人工まつ毛アプリケータのさらなる例示的な底面図である。
【図４】本開示の別の例示的な実施形態による例示的な磁気式人工まつ毛アプリケータの例示的な右側面図である。
【図５】本開示の例示的な実施形態による、図４に示される例示的な磁気式人工まつ毛アプリケータの例示的な斜視図である。
【図６】本開示の例示的な実施形態による、図４に示される例示的な磁気式人工まつ毛アプリケータの例示的なさらなる側面図である。
【図７】本開示の例示的な実施形態による、開位置の図４に示される例示的な磁気式人工まつ毛アプリケータの例示的な斜視図である。
【図８】本開示の例示的な実施形態による、磁気式人工まつ毛が取り付けられた例示的な磁気式人工まつ毛アプリケータの前部の例示的な画像である。
【図９】本開示の例示的な実施形態による、磁気式人工まつ毛を付ける例示的な方法の流れ図である。
【発明を実施するための形態】
【００１３】
本開示のさらなる目的、特徴および利点は、本開示の例示的な実施形態を示す添付の図面と併せて以下の詳細な説明から明らかになるであろう。
【００１４】
図面を通して、別段の断りがない限り、同じ参照番号および文字は、図示の実施形態の同様の特徴、要素、構成要素、または部分を示すのに使用される。さらに、本開示はここで図面を参照して詳細に説明されるが、これは例示的な実施形態に関連して行われ、図面および添付の段落に示された特定の実施形態によって限定されない。
【００１５】
本開示の例示的な実施形態は、以下の説明および関連する添付の図面を参照してさらに理解されうる。本開示の例示的な実施形態は、磁気式人工まつ毛アプリケータに関する。例えば、磁気式人工まつ毛アプリケータは、磁気式人工まつ毛を人の一つ以上のまつ毛に付けるために使用されうる。例示的な実施形態は人工まつ毛に関して記載されるが、当業者であれば、本開示の例示的な実施形態は、磁気式ヘアエクステンションが応用される他の用途において実施されてもよいことを理解するであろう。磁気式人工まつ毛の一つ以上の部分はヒト、動物等のものを含むがこれらに限定されない天然の毛髪、天然のまつ毛を含む天然の材料で作られうるが、磁気式人工まつ毛に関する「人工」という用語は、まつ毛が人のまぶたから生えていないことを意味することをさらに理解されたい。
【００１６】
図１は、本開示の例示的な実施形態による例示的な磁気式人工まつ毛アプリケータ１００の例示的な上面図を示す。例えば、図１に示すように、磁気式人工まつ毛アプリケータ１００は、ハンドル部または構造体１０５を含みうる。ハンドル部１０５は、アプリケータ部または構造体１１５に接続されうる。アプリケータ部１１５は、磁気式人工まつ毛を人のまつ毛に付けるために、一つ以上の磁気式人工まつ毛をその上に保持または他の方法で維持するために使用されうる。ハンドル部１０５は、磁気式人工まつ毛アプリケータ１００を使用する人によるハンドル部１０５の優れた保持を容易にしうる一つ以上のグリップ部または構造体１１０を含みうる。グリップ部１１０は、ハンドル部１０５から同じ材料で構成することができ、ハンドル部１０５の表面から凹ませることができる（例えばハンドル部１０５およびグリップ部１１０の両方がプラスチック、ゴム、または他の適切な材料で構成されうる）。あるいは、グリップ部１１０は、ハンドル部とは異なる材料で構成することもできる（例えばハンドル部１０５はプラスチックで構成され、グリップ部１１０はゴムで構成されてもよく、またはその逆でもよい）。さらに、グリップ部１１０は、ハンドル部１０５の表面から凹んでいる必要はない。
【００１７】
図１に示すように、ハンドル部１０５は、片側がその反対側に対して外にたわむように、例えば部分的な円の形の湾曲した形状を有しうる。ハンドル部１０５はまた、近位部１２０および遠位部１２５を含みうる。近位部１２０は、グリップ部１１０とアプリケータ部１１５との間に提供される。特に、図１に示す例示的な実施形態では、近位部１２０がグリップ部１１０からアプリケータ部１１５に向かって内方へ先細になるように、近位部１２０はグリップ部１１０の付近でより広い幅を有し、アプリケータ部１１５の付近でより狭い幅を有する。遠位部１２５は、グリップ部１１０またはその付近およびアプリケータ部１１５またはその付近の近位部１２０の幅より大きい一般的幅を有しうる。さらに、遠位部１２５は、（以下の図２および図３に示す）ハンドル２０５および２１０の一方または両方を含みうる。
【００１８】
図２および３は、本開示の例示的な実施形態による、図１に示される例示的な磁気式人工まつ毛アプリケータ１００の異なる例示的な図である。例えば、上に示したように、例示的な近位部１２５は、接続部または構造体２１５によって接続され、そこから延在する二つの別個のハンドル２０５および２１０を含みうる。接続部２１５は、例えばバネ２４０と共に使用して、ハンドル２０５および２１０にバネのような力を提供し、それによってハンドル２０５および２１０を一端で互いから離間させ、また互いに引き寄せることができる。磁気式人工まつ毛アプリケータ１００の使用中には、使用者は、バネ２４０により提供される力に対抗して、（例えば矢印２２０および２２５の方向の内方への力を用いて）ハンドル２０５および２１０を一緒に押圧しうる。使用者が内方への圧力の提供を止めると、接続部２１５が、ハンドル２０５および２１０を外向きの方向（例えば矢印２３０および２３５により示される方向）に押し開く。接続部２１５により加えられるバネのような力に代えて、またはそれに加えて、接続部２１５は、その構成により、矢印２２０および２２５の方向の任意の内方への圧力に抵抗するために使用されうる。
【００１９】
図４は、本開示の別の例示的な実施形態による例示的な磁気式人工まつ毛アプリケータ４００のさらなる例示的な上面図を示す。例えば、図４および人工まつ毛アプリケータ４００の斜視図である図５にも示すように、アプリケータ４００は、ヒンジ部または構造体４０５と、それぞれのアプリケータ部４３０、４３２が取り付けられた近位部４４０、４３５と、互いに接続された遠位部４４５、４５０とを含みうる。ヒンジ部４０５は、ピン４１０を含むことができ、（例えば以下に示すように）磁気式人工まつ毛を磁気式人工まつ毛アプリケータ４００に簡単に付けるのを促進するために（図４および図５に示す）近位部４３５および４４０の一方または両方が回転されるのを促進しうる。ヒンジ部４０５は、近位部４３５、４４０の一方または両方に接続されることができ、近位部４３５、４４０の一方または両方を一つ以上の方向（例えば矢印４１５および４２０の一方または両方の方向）に回転または旋回させるために使用されうる。ヒンジ部４０５は、磁気式人工まつ毛４００を付ける間に近位部４３５、４４０の一方または両方が不注意に回転されないように、ある抵抗レベルを提供しうる。例えば、使用者が近位部４４０を回転させるときには、近位部４４０を回転させるためにヒンジ部４０５により提供される抵抗を上回るためにある量の力が必要でありうる。
【００２０】
図５に示されるように、ヒンジ部４０５は、近位部４３５、４４０の片方だけ（例えば近位部４４０）の中にあるかまたは接続されて、ハンドル２１０に対する近位部４４０の回転を促進しうる。
【００２１】
図６は、本開示の例示的な実施形態による、図４および５に示される例示的な磁気式人工まつ毛アプリケータの別の側面図を示す。例えば、図６に示すように、近位部４３５、４４０はそれぞれ、磁気式人工まつ毛を人のまつ毛の上に付けるために使用されうるそれぞれのアプリケータ部（例えばアプリケータ部４３２、４３０のそれぞれ）を含むかまたはアプリケータ部に接続されうる。アプリケータ部４３０、４３２は、磁気的性質を有する金属材料から形成されるかまたは少なくとも部分的に構成されうる金属部６１５および６２０をそれぞれ含みうる（例えばこれは磁気式人工まつ毛を磁気的に保持するために使用されうる）。金属部６１５および６２０は、（例えば図６に示すように）アプリケータ部分４３２、４３０のそれぞれにより形成される弧の大部分にわたってそれぞれ延びうる。あるいは、金属部６１５および６２０は、アプリケータ部４３２、４３０のそれぞれにより形成される弧の全体にわたってそれぞれ延びうる。
【００２２】
図７は、本開示の例示的な実施形態による、開（例えば回転）位置の図４〜６に示される例示的な磁気式人工まつ毛アプリケータ４００の例示的なさらに別の斜視図である。例えば、図７に示すように、近位部４４０およびアプリケータ部４３２が遠位部４５０に対して離れるように回転し、近位部４３５およびアプリケータ部４３０へのアクセスに役立つように、近位部４４０がヒンジ部４０５の周りで回転させられうる。これは、磁気式人工まつ毛を金属部６２０に付けるための金属部６２０への容易なアクセスを促進しうる。
【００２３】
図８は、本開示の例示的な実施形態による、磁気式人工まつ毛が取り付けられた例示的な磁気式人工まつ毛アプリケータ８００の前部の例示的な画像を示す。例示的な磁気式人工まつ毛アプリケータ８００は、図１〜３の例示的な磁気式人工まつ毛アプリケータ１００および／または図４〜７の例示的な磁気式人工まつ毛アプリケータ１００でありうることを理解されたい。例えば、図８に示すように、磁気式人工まつ毛アプリケータ８００のアプリケータ部８１５および８１７（アプリケータ部１１５またはアプリケータ部４３０、４３２でありうる）は、金属部６１５および６２０をそれぞれ含むかまたは設置（または例えば接着剤もしくは他の取り付け形態により固定）しうる。金属部６１５および６２０は、互いに離間された二つ以上のストリップまたは他の別れたもしくは接続されたセグメント（例えば円形、楕円形など）として提供さる、金属部６１５および６２０のそれぞれの長さに沿って延びるストリップの形とすることができる。
【００２４】
アプリケータ部８１５および８１７はそれぞれ、磁気的に取り付けられる磁気式人工まつ毛（例えば磁気式人工まつ毛８０５および８１０）が磁気的に取り付けられうる。例えば、金属部６１５には磁気式人工まつ毛８０５が取り付けられることができ、金属部６２０には磁気式人工まつ毛８１０が取り付けられることができる。特に、磁気式人工まつ毛８１５および８１７は、これらの長さに沿って磁気部、例えば磁気ストリップ、互いに離間された二つ以上の磁気ストリップ、または他の別れたもしくは接続された磁気セグメント（例えば円形、楕円形など）を含みうる。磁気式人工まつ毛アプリケータ８００が人のまつ毛の上から押し合わされると、磁気式人工まつ毛８０５および８１０がまつ毛の上で磁気的に結合され、アプリケータ８００を解放させることにより、磁気式人工まつ毛アプリケータ８００から解放される。その後、磁気式人工まつ毛８０５および８１０が、（例えば人の本物のまつ毛が間に提供された状態で互いに対して磁気的に取り付けられることにより）人の本物のまつ毛の上にとどまりうる。
【００２５】
図９は、本開示の例示的な実施形態による、磁気式人工まつ毛を付ける例示的な方法９００の流れ図を示す。例えば、手順９０５で、人工まつ毛をアプリケータに付けるためのより容易なアクセスを促進するために、アプリケータ（例えば磁気式人工まつ毛アプリケータ４００）の一つ以上の近位部（例えば近位部４３５、４４０）が回転させられうる。手順９１０で、人工上まつ毛が、近位部の一つ（例えば近位部４３５）の金属部（例えば金属部６１５）に取り付けられうる。手順９１５で、人工下まつ毛が、ハンドルの他方（例えばハンドル２１０）の金属部（例えば金属部６２０）に取り付けられうる。手順９２０で、一つ以上の回転された近位部が元の位置に回転して戻されうる。手順９２５で、アプリケータ（例えばアプリケータ部４３０、４３２）が人のまつ毛の上に配置されうる。手順９３０で、手順９３５で人工まつ毛を付けるために、人のまつ毛の上から両方のハンドル（例えばアプリケータ４００の近位部４３５、４４０、ヒンジ部４０５および／または遠位部４４５、４５０）が締められうる。手順９４０で、手順９０５〜９３５が人の他方のまつ毛で繰り返されうる。
【００２６】
以上は単に本開示の原理を説明するに過ぎない。記載された実施形態に対する様々な変更および改変は、本明細書の教示を考慮して当業者に明らかとなるであろう。したがって、当業者であれば、本明細書に明示的に図示または説明されてはいないが、本開示の原理を具現化し、したがって本開示の精神および範囲内にありうる多数のシステム、装置、および手順を考案できることが理解されよう。当業者には理解されるように、種々の異なる例示的な実施形態は、相互に一緒に、ならびに互換的に使用されうる。加えて、本明細書、図面、および特許請求の範囲を含む本開示で使用されるある用語は、例えばデータおよび情報を含むがこれらに限定されずに、ある場合には同義語として使用されうる。互いに同義でありうるこれらの単語および／または他の単語は、本明細書において同義語として使用されうるが、このような単語が同義的に使用されないことが意図されうる場合があることを理解されたい。さらに、先行技術の知識は本明細書の以上における参照により明示的に組み込まれていない範囲で全体として明示的に本明細書に組み込まれるものとする。参照された全ての刊行物は、参照により全体として本明細書に組み込まれるものとする。
【図１】
2019143279.tif 000003
【図２】
2019143279.tif 000004
【図３】
2019143279.tif 000005
【図４】
2019143279.tif 000006
【図５】
2019143279.tif 000007
【図６】
2019143279.tif 000008
【図７】
2019143279.tif 000009
【図８】
2019143279.tif 000010
【図９】
2019143279.tif 000011
【外国語明細書】
2019143279000001.pdf